(57)【要約】      （修正有）【課題】自動化処理などでも取り扱い易い構造から比較的に短時間で検体の採取を済ませることができ、カビや細菌の繁殖を防ぎながら塵や埃の侵入を確実に防止する生体試料採取具を提供する。【解決手段】生体試料採取具１０は、摘み部１８から軸方向に延長される棒状部２０の先端に生体試料を採取するための採取部１２が設けられた綿棒部１４と、開口部２２を一端に有し綿棒部１４の摘み部１８を開口部２２に嵌合させて綿棒部１４を収納する筒状の収納部１６とを有し、摘み部１８の外周部１８ｃにはローレット加工が施され、収納部１６の他端には通気用の窓部が設けられ、通気用の窓部には異物の侵入を防ぐフィルター材２４が配置される。【選択図】図１
0003234402.tif 000002
【実用新案登録請求の範囲】
【請求項１】
摘み部から軸方向に延長される棒状部の先端に生体試料を採取するための採取部が設けられた綿棒部と、開口部を一端に有し前記綿棒部の前記摘み部を該開口部に嵌合させて前記綿棒部を収納する筒状の収納部とを有し、
前記摘み部の外周部にはローレット加工が施され、前記収納部の他端には通気用の窓部が設けられ、前記通気用の窓部には異物の侵入を防ぐフィルター材が配置されることを特徴とする生体試料採取具。
【請求項２】
請求項1記載の生体試料採取具であって、前記フィルター材は紙若しくは不織布を主に有することを特徴とする生体試料採取具。
【請求項３】
請求項1記載の生体試料採取具であって、前記摘み部と前記棒状部は異なる樹脂で形成され、前記摘み部に設けられた凹部に前記棒状部の採取部が設けられた端部とは反対側の端部を挿入して一体化されることを特徴とする生体試料採取具。
【請求項４】
請求項1記載の生体試料採取具であって、前記収納部の一部には生体試料を識別するための識別票を貼付するための貼付領域が設けられていることを特徴とする生体試料採取具。
【考案の詳細な説明】
【技術分野】
【０００１】
本考案はペットなどの動物からの遺伝子情報等を含む生体試料を採取する際に使用される生体試料採取具に関する。
【背景技術】
【０００２】
犬や猫などの一般的な愛玩動物は人と共に暮らすことから、家族と同様にその関わりが大切なものとなり、アレルギーや病気などの疾患についての傾向もいち早く知ることが求められている。このような愛玩動物に対しては、人間と同様に、遺伝子情報については喉のあたりの唾液或いは体液を試料として採取して、所謂PCR法により遺伝子情報を増幅して検査をすることが行われている。
【０００３】
ところで、動物の体液からなる試料を採取する場合、棒状部材の先端部に綿を巻き付けた綿棒の如き採取具が使用されることがある。一般的には、体液の採取をした綿棒部を収納する容器に収められる構造を有し、収納時には収納容器の蓋と機能する部材と棒状部材が一体化されている構造を有しているものが知られている（例えば、特許文献１参照。）。
【先行技術文献】
【特許文献】
【０００４】
【特許文献１】特許第６６２７５６４号公報
【考案の概要】
【考案が解決しようとする課題】
【０００５】
しかしながら、人間と異なり、動物を相手に試料の採取を行う場合には、動物自体は試料を採取する意図を理解することもないことから、比較的に短時間で検体の採取をする必要があり、従って、口を開けて喉に綿棒を当てる時間も短い時間で済ませる必要があり、綿棒部材自体の取り回しが扱い易い構造であることが求められる。また、検査機関では機械での操作も配慮する必要はあり、ロボットアームなどでも取り扱いし易い構造が求められている。
【０００６】
試料を採取した採取具については、一旦、綿棒部分を含む収納容器ごと検査機関等に送られて、そこでPCR検査などの所定の判定作業が進められることが多い。このような採取具については、動物を対象とした場合では、特に家庭などの飼われている場所での採取ができるように構成されていることから、採取してから直ぐに検査機関で検査が行われる場合に限らず、何日か日にちが経過してから検査に進むこともある。従って、試料を採取してからの時間経過によっては、カビや細菌の繁殖などの恐れがあり、そのようなカビや細菌の繁殖が生じた場合では検査の精度が低下する。このため容器の一部に開口を設けて空気の流通を図る容器も知られているが、埃や塵などが試料を採取した綿棒部分に付着することもあり、問題となっていた。
【０００７】
そこで本考案は、採取具自体の操作や取り扱いが容易であって、且つカビや細菌の繁殖を防ぎつつ、埃や塵の付着も未然防止する構造の生体試料採取具を提供することを目的とする。
【課題を解決するための手段】
【０００８】
上述の技術的な課題に鑑み、本考案の生体試料採取具は、摘み部から軸方向に延長される棒状部の先端に生体試料を採取するための採取部が設けられた綿棒部と、開口部を一端に有し前記綿棒部の前記摘み部を該開口部に嵌合させて前記綿棒部を収納する筒状の収納部とを有し、前記摘み部の外周部にはローレット加工部が設けられ、前記収納部の他端には通気用の窓部が設けられ、前記通気用の窓部には異物の侵入を防ぐためのフィルター材が配置されることを特徴とする。
【０００９】
本考案の生体試料採取具によれば、前記摘み部の外周部にはローレット加工部が設けられることから、綿棒部を指先でつまんで操作することが容易となり、検体採取に要する作業の時間を短くすることができ、収納部の他端には通気用の窓部が設けられ、その通気用の窓部には異物の侵入を防ぐためのフィルター材が配置されることから、カビや細菌の繁殖を防ぎつつ、埃や塵の付着も未然防止することができる。
【００１０】
本考案の好適な実施形態によれば、前記フィルター材は紙若しくは不織布を主に有する構造とすることができ、これらの紙や不織布によって、埃や塵の付着を防止しながら収納部内の通気を図ることができる。
【００１１】
また、本考案の好適な他の実施形態によれば、前記摘み部と前記棒状部は異なる樹脂で形成され、前記摘み部に設けられた凹部に前記棒状部の採取部が設けられた端部とは反対側の端部を挿入して一体化されることを特徴とする。本考案のさらに他の実施形態によれば、前記収納部の一部には生体試料を識別するための識別票を貼付するための貼付領域が設けられる構造とすることもできる。
【図面の簡単な説明】
【００１２】
【図１】本考案の実施形態にかかる生体試料採取具の一例の斜視図である。
【図２】本考案の実施形態にかかる生体試料採取具の一例の綿棒部の側面図である。
【図３】本考案の実施形態にかかる生体試料採取具の一例の収納部の側面図である。
【図４】本考案の実施形態にかかる生体試料採取具の一例の収納部の断面図である。
【図５】本考案の実施形態にかかる生体試料採取具の一例についての処理作業をする際の綿棒部の正面図である。
【図６】本考案の実施形態にかかる生体試料採取具の一例の綿棒部を使用して検体を採取する際の綿棒部と動物の斜視図である。
【考案を実施するための形態】
【００１３】
以下、本考案の実施の形態に係る生体試料採取具について、図面を参照しながら説明する。
【００１４】
本実施形態の生体試料採取具１０は、図１乃至図４に示すように、生体試料を採取するための採取部１２が設けられた綿棒部１４と、その綿棒部１４を収納できる透明樹脂製で筒状の収納部１６とを有している。
【００１５】
綿棒部１４は、概ね全体が例えば白色に着色された合成樹脂からなり、摘み部１８から軸方向に延長される棒状部２０を有し、その棒状部２０の先端に綿糸を巻き付けて構成された採取部１２が設けられている。摘み部１８は円柱状の部材であって外周部１８ｃに凸凹のローレット加工が施されて使用者やロボットアームが掴んだ時でも滑り難い構成とされている。摘み部１８は、中空で筒状の収納部１６の基端側に嵌合する蓋部として機能するように構成されており、摘み部１８の綿棒側端部には、収納部１６の内壁に嵌合する円筒状の嵌合部１７が形成されている。嵌合部１７の中心には、軸方向に延長される凹部があり、その凹部に棒状の棒状部２０の基端側を差し込んで棒状部２０は摘み部１８と一体化される。このため摘み部１８を柔らかめの例えばポリエチレン系の樹脂としながら、棒状部２０はやや硬めの例えばポリスチレン系の樹脂とするような選択もすることができ、摘み部１８を収納部１６に嵌合させる際には摘み部１８の構成樹脂の弾性を利用して、摘み部１８を収納部１６に密着させることも可能である。
【００１６】
綿棒部１４の先端には綿糸を巻回した採取部１２が設けられ、この採取部１２を直接検査対象の動物等の喉部に当てることで、喉部付近の体液等をからめとり、その採取した試料から例えば遺伝子情報を増幅するような検査に回すことができる。この綿棒部１４のサイズについて例示すると、先端側の採取部に１２は例えば１．５ｃｍ程度であって、その径は０．６ｃｍ程度であり、棒状部２０は長さが例えば１３ｃｍ程度である。また、摘み部１８の外周部１８ｃの軸方向の長さは、例えば２．７ｃｍに設定でき、その径は１．３ｃｍ程度に設定できる。
【００１７】
収納部１６は、透明な高密度ポリエチレン樹脂などの比較的に硬く透明性に優れた中空の筒状部材であり、中空部分に綿棒部１４の棒状部２０と採取部１２を格納できる。収納部１６のサイズについては、一例として、１４ｃｍ程度の長さを有し、１．３ｃｍ程度の径を有する。収納部１６の先端部には、図４の断面図にも示すように、収納時の通気を確保するように円形な通孔である開口部２２が設けられており、試料を採取後に細菌やカビが繁殖するのを防止する。これら開口部２２は、収納部１６の先端部に並べて2対設けられ、合計４つの開口部２２からなる。収納部１６の先端部には、これら開口部２２に対するフィルターとして機能する例えば和紙、不織布などの材料からなる紙部材２４が巻回されており、開口部２２からの塵や埃の侵入を防止する。開口部２２の形状は特に限定されるものではなく、矩形状の穴やスリットなどであっても良い。
【００１８】
収納部１６の外周面基端側には、識別票を貼付するための貼付領域として白色の背景で「ここに貼る」の黒文字からなる印刷部２６が形成される。これは複数の試料採取済みの生体試料採取具を集合的に処理する場合においては、検体のIDやバーコードなどの識別票を糊や接着剤を用いて貼ることで個々の生体試料採取具の識別が可能となるが、その位置を特定することで読み取り装置などによる識別票の自動読み取りなども可能であり、個々の生体試料採取具を素早く検査できることになる。白色の背景で「ここに貼る」の黒文字からなる印刷部２６は、そのような識別に対して識別票の位置決め機能を発揮することになり、特に検査対象が多い場合に大きな利点となる。より具体的には、一例として収納部１６の外周面基端側から軸方向に９ｃｍの長さに亘って白色の背景が施され、印刷部２６は黒枠で８ｃｍ×２ｃｍの枠体が形成された上で、その中に「ここに貼る」の黒文字が印刷される。なお、印刷に代えて収納部１６の外周に施すエンボスや容易に脱落しない転写文字などであっても良い。また、「ここに貼る」の文字は一例であり、他の文字列例えば“IDラベル貼り付け位置”などの文字とすることもできる。
【００１９】
図５は、本実施形態の生体試料採取具に対して機械による操作を示した図面である。試料を採取した後で、PCR法などにより遺伝子情報を増幅する際には、収納部１６から綿棒部１４を取り出すことが行われるが、仮に非常に数多くのサンプルを扱う場合を考えると、その際には自動化の目的で摘み部１８を例えばロボットアーム３０などで把持することができる。摘み部１８は外周がローレット加工されており、ロボットアーム３０の把持機構の先端部でも容易につかむことができる。次に、採取部１２を試薬中に落下させて検査を開始することが可能であるが、本実施形態では棒状部２０を鋏３２などの切断装置によって切断することができ、その切断によって綿棒部１４の先端の採取部１２を試薬中に落下させることができる。これも非常に多くの検体を検査する場合に時間短縮のために有効な取り扱い方法となる。
【００２０】
図６は本実施形態の生体試料採取具を用いて被検動物である犬３４の喉部の唾液などを採取する際の図である。本実施形態の生体試料採取具の綿棒部１４によれば、犬３４の口先から喉部に至る距離を容易に渡すことができ、対象が動物のような場合であっても極めて短時間での採取が可能となる。この時、採取者は本実施形態の生体試料採取具の摘み部１８を操作することになるが、全体的に軽量であり、摘み部１８の外周のローレット加工から、操作し易く、よって短時間での採取作業が可能となる。
【００２１】
以上のように本実施形態の生体試料採取具によれば、ローレット加工などにより、取り扱い易い構造から比較的に短時間で検体の採取を済ませることができ、ロボットアームを用いた自動化処理などでも取り扱いが容易となる。また、収納部１６の先端部には、これら開口部２２に対するフィルターとして機能する例えば和紙、不織布などの材料からなる紙部材２４が巻回されており、開口部２２からの塵や埃の侵入を確実に防止することができる。
【００２２】
以上の実施形態では、主に犬や猫などの愛玩動物を生体試料採取の対象として説明したが、人や家畜などの動物を対象とすることもでき、その他のあらゆる種類の生物を対象とすることもできる。
【符号の説明】
【００２３】
１０  生体試料採取具
１２  採取部
１４  綿棒部
１６  収納部
１７  嵌合部
１８  摘み部
１８ｃ  外周部
２０  棒状部
２２  開口部
２４  紙部材
２６  印刷部
３０  ロボットアーム
３２  鋏
３４  犬
【図１】
0003234402.tif 000003
【図２】
0003234402.tif 000004
【図３】
0003234402.tif 000005
【図４】
0003234402.tif 000006
【図５】
0003234402.tif 000007
【図６】
0003234402.tif 000008